(57)【要約】【課題】デジタル信号にアナログ信号を多重して無線伝送する場合に、多くの情報量のアナログ信号を低遅延で再生できるようにしたデジタル無線伝送システムを提供する。【解決手段】アナログ信号をＡ／Ｄ変換してデジタル化する送信アダプタ（２）と、デジタル化されたアナログ信号を他のデジタル信号に多重して無線送信する送信デジタルＳＴＬ装置（１）と、無線送信された多重信号を受信して多重前の各信号に分離する受信デジタルＳＴＬ装置（３）と、分離した各信号のうち、デジタル化されたアナログ信号をＤ／Ａ変換して元のアナログ信号を再生する受信アダプタ（４）とを備えると共に、送信アダプタ（１）と受信アダプタ（４）は、それぞれ送信デジタルＳＴＬ装置（１）と受信デジタルＳＴＬ装置（３）から伝送速度に同期したクロック信号の供給を受け、当該クロック信号に基づいてＡ／Ｄ変換とＤ／Ａ変換の処理速度を決定する。【選択図】図１
2007189584.tif 000002
【特許請求の範囲】
【請求項１】
アナログ信号をＡ／Ｄ変換してデジタル化するＡ／Ｄ変換部と、
前記デジタル化されたアナログ信号を他のデジタル信号に多重して無線送信する送信部と、
前記無線送信された多重信号を受信して当該多重信号を多重前の各信号に分離する受信部と、
前記分離された各信号のうち、前記デジタル化されたアナログ信号をＤ／Ａ変換して前記アナログ信号を再生するＤ／Ａ変換部とを備えると共に、
前記Ａ／Ｄ変換部は、前記送信部からその伝送速度に同期したクロック信号の供給を受け、当該クロック信号に基づいて前記Ａ／Ｄ変換の処理速度を決定し、
前記Ｄ／Ａ変換部は、前記受信部からその伝送速度に同期したクロック信号の供給を受け、当該クロック信号に基づいて前記Ｄ／Ａ変換の処理速度を決定することを特徴するデジタル無線伝送システム。
【請求項２】
デジタル放送信号とアナログの補助データ信号を無線伝送するデジタル無線伝送システムにおいて、
前記アナログの補助データ信号をＡ／Ｄ変換してデジタル化する送信アダプタと、
前記デジタル化された補助データ信号を前記デジタル放送信号に多重して無線送信する送信デジタルＳＴＬ装置と、
前記無線送信された多重信号を受信して当該多重信号を多重前の各信号に分離する受信デジタルＳＴＬ装置と、
前記分離された各信号のうち、前記デジタル化された補助データ信号をＤ／Ａ変換して前記アナログの補助データ信号を再生する受信アダプタとを備えると共に、
前記送信アダプタは、前記送信デジタルＳＴＬ装置からその伝送速度に同期したクロック信号の供給を受け、当該クロック信号に基づいて前記Ａ／Ｄ変換の処理速度を決定し、
前記受信アダプタは、前記受信デジタルＳＴＬ装置からその伝送速度に同期したクロック信号の供給を受け、当該クロック信号に基づいて前記Ｄ／Ａ変換の処理速度を決定することを特徴するデジタル無線伝送システム。
【発明の詳細な説明】
【技術分野】
【０００１】
本発明は、デジタル信号にアナログ信号を多重して無線伝送するデジタル無線伝送システムに関し、特に、デジタル放送信号にアナログの補助データ信号を多重して伝送するデジタル無線伝送システムに関する。
【背景技術】
【０００２】
近年、地上波放送のデジタル化に伴い、デジタル無線伝送システム、具体的には、デジタルＳＴＬ装置が用いられている。尚、ＳＴＬとは、「Studio to Transmitter Link」の略であり、放送局のスタジオと送信所などを結んで放送番組を伝送する無線伝送路を意味する。このデジタルＳＴＬ装置としては、例えば下記の特許文献１に記載される技術が知られている。
【特許文献１】特開２００２−２５２７９０号公報
【発明の開示】
【発明が解決しようとする課題】
【０００３】
デジタルＳＴＬ装置では、本線のデジタル放送信号にサービスチャネルの信号を多重して伝送する場合がある。
【０００４】
ここで、全国デジタル送信設備検討会が制定した地上デジタル放送用送信設備共通仕様書（通称、オレンジブック）のＤＴＳ２５０−００１において、サービスチャネルの信号形式は非同期（調歩同期）とするように規定されている。一方で、送信所のリモートコントロールに使用するモデム信号や通話のためのアナログ音声を、ＳＣ（サービスチャネル）データ信号として伝送したいという要望もある。この場合の従来の実現手法を以下に示す。
【０００５】
先ず、Ａ／Ｄ変換機能を備えた送信アダプタでアナログ信号をデジタル化し、非同期のＳＣデータ信号として送信デジタルＳＴＬ装置に出力する。送信デジタルＳＴＬ装置は、ＳＣデータ信号を本線のデジタル放送信号に多重し、受信デジタルＳＴＬ装置に伝送する。
【０００６】
受信デジタルＳＴＬ装置は、受信した多重信号をデジタル放送信号とＳＣデータ信号に分離し、そのうちＳＣデータ信号を受信アダプタに出力する。受信アダプタはＤ／Ａ変換機能を備えており、入力したＳＣデータ信号をＤ／Ａ変換して元のアナログ信号を再生する。このとき、受信アダプタは、非同期のＳＣデータ信号を一旦バッファメモリに蓄積し、蓄積データ量が一定量になるように変換処理速度をＰＬＬ制御することにより、途切れのないアナログ信号を再生する。
【０００７】
このように、従来の技術では、送信側でＡ／Ｄ変換された信号を受信側でＤ／Ａ変換する際、変換処理速度をＰＬＬ制御するために受信信号を一旦バッファメモリに蓄積する必要があった。そのため、アナログ信号の再生が遅延するという不具合があった。
【０００８】
また、上記した手法の他に、送信側で低速度でＡ／Ｄ変換した信号をレート変換することも考えられるが、その手法ではＡ／Ｄ変換速度が低速に限定され、伝送情報量が少なくなってしまう。
【０００９】
従って、この発明の目的は上記した課題を解決し、デジタル信号にアナログ信号を多重して無線伝送する場合に、多くの情報量のアナログ信号を低遅延で再生できるようにしたデジタル無線伝送システムを提供することにある。
【課題を解決するための手段】
【００１０】
上記した課題を解決するため、本発明に係るデジタル無線伝送システムにあっては、アナログ信号をＡ／Ｄ変換してデジタル化するＡ／Ｄ変換部と、前記Ａ／Ｄ変換部でデジタル化されたアナログ信号を他のデジタル信号に多重して無線送信する送信部と、前記無線送信された多重信号を受信して当該多重信号を多重前の各信号に分離する受信部と、前記分離された各信号のうち、前記デジタル化されたアナログ信号をＤ／Ａ変換して前記アナログ信号を再生するＤ／Ａ変換部とを備えると共に、前記Ａ／Ｄ変換部は、前記送信部からその伝送速度に同期したクロック信号の供給を受け、当該クロック信号に基づいて前記Ａ／Ｄ変換の処理速度を決定し、前記Ｄ／Ａ変換部は、前記受信部からその伝送速度に同期したクロック信号の供給を受け、当該クロック信号に基づいて前記Ｄ／Ａ変換の処理速度を決定することを特徴とする。
【００１１】
また、デジタル放送信号とアナログの補助データ信号を無線伝送するデジタル無線伝送システムにおいて、前記アナログの補助データ信号をＡ／Ｄ変換してデジタル化する送信アダプタと、前記デジタル化された補助データ信号を前記デジタル放送信号に多重して無線送信する送信デジタルＳＴＬ装置と、前記無線送信された多重信号を受信して当該多重信号を多重前の各信号に分離する受信デジタルＳＴＬ装置と、前記分離された各信号のうち、前記デジタル化された補助データ信号をＤ／Ａ変換して前記アナログの補助データ信号を再生する受信アダプタとを備えると共に、前記送信アダプタは、前記送信デジタルＳＴＬ装置からその伝送速度に同期したクロック信号の供給を受け、当該クロック信号に基づいて用いて前記Ａ／Ｄ変換の処理速度を決定し、前記受信アダプタは、前記受信デジタルＳＴＬ装置からその伝送速度に同期したクロック信号の供給を受け、当該クロック信号に基づいて前記Ｄ／Ａ変換の処理速度を決定することを特徴する。
【発明の効果】
【００１２】
本発明に係るデジタル無線伝送システムにあっては、送信部（送信デジタルＳＴＬ装置）と受信部（受信デジタルＳＴＬ装置）のそれぞれから、伝送速度に同期したクロック信号がＡ／Ｄ変換部（送信アダプタ）とＤ／Ａ変換部（受信アダプタ）に供給される。送信部と受信部の伝送速度は当然に一致しており、それに同期したクロック信号もＡ／Ｄ変換部とＤ／Ａ変換部とで一致することになる。従って、当該クロック信号に基づいて送信側のＡ／Ｄ変換処理速度と受信側のＤ／Ａ変換処理速度を決定することで、互いの処理速度を同期させることができる。そのため、Ｄ／Ａ変換処理速度をＰＬＬ制御する際に受信信号をバッファに蓄積する必要がなくなり、多くの情報量のアナログ信号を低遅延で再生することができる。
【発明を実施するための最良の形態】
【００１３】
以下、本発明に係るデジタル無線伝送システムを実施するための最良の形態について、図面を参照して説明する。
【００１４】
図１は、本発明の一実施例に係るデジタル無線伝送システムを表すブロック図である。図１に示すように、本発明に係るデジタル無線伝送システムは、送信デジタルＳＴＬ装置（送信部）１と、送信アダプタ（Ａ／Ｄ変換部）２と、受信デジタルＳＴＬ装置（受信部）３と、受信アダプタ（Ｄ／Ａ変換部）４とから構成される。このうち、送信デジタルＳＴＬ装置３と送信アダプタ２によって送信装置が構成され、受信デジタルＳＴＬ装置３と受信アダプタ４によって受信装置が構成される。
【００１５】
尚、図１に示すデジタル無線伝送システムは、マイクロ波帯を使用した地上デジタルテレビジョン放送番組伝送用のデジタルＳＴＬであり、本線のデジタル放送信号に加え、サービスチャネル（ＳＣ）を利用してアナログの補助データ信号を演奏所（スタジオ）から各送信所に無線伝送する。即ち、送信装置（送信デジタルＳＴＬ装置１と送信アダプタ２）は演奏所に設置され、受信装置（受信デジタルＳＴＬ装置３と受信アダプタ４）は送信所に設置される。
【００１６】
図示の如く、送信デジタルＳＴＬ装置１にはデジタル放送信号が入力される。また、送信アダプタ２には補助データ信号が入力される。尚、補助データ信号はアナログ信号であり、例えば送信所のリモートコントロール制御に使用するモデム信号や通話のためのアナログ音声である。
【００１７】
送信デジタルＳＴＬ装置１と送信アダプタ２は、ＳＣデータ信号線５とＳＣクロック信号線６で接続される。また、受信デジタルＳＴＬ装置３と受信アダプタ４も、ＳＣデータ信号線７とＳＣクロック信号線８で接続される。
【００１８】
送信デジタルＳＴＬ装置１は、デジタル信号の伝送機能を備えており、その伝送速度に同期したＳＣクロック信号を、ＳＣクロック信号線６を介して送信アダプタ２に出力する。送信アダプタ２は、Ａ／Ｄ変換機能を備えており、補助データ信号をＡ／Ｄ変換してデジタル化すると共に、ＳＣクロック信号に基づいてかかるＡ／Ｄ変換の処理速度を制御（具体的にはＰＬＬ（Phase Locked Loop）制御）する。
【００１９】
図２は、送信アダプタ２の構成を表すブロック図である。図２に示すように、送信アダプタ２は、ＰＬＬ制御部１０と、コーデック（音声コーデック）部１１と、フレーム処理部１２とを備える。ＰＬＬ制御部１０には、送信デジタルＳＴＬ装置１からＳＣクロック信号がＳＣクロック信号線６を介して入力される。ＰＬＬ制御部１０は、ＳＣクロック信号から処理クロックを生成し、生成した処理クロックをコーデック部１１とフレーム処理部１２に出力する。
【００２０】
コーデック部１１には補助データ信号も入力される。コーデック部１１は、処理クロックに同期して補助データ信号のＡ／Ｄ変換と圧縮処理を行い、補助データ信号をデジタル化する（以下、このデジタル化された信号を「ＳＣデータ信号」と呼ぶ）。コーデック部１１で生成されたＳＣデータ信号は、フレーム処理部９に入力され、適宜なフレーム処理が施される。フレーム処理部９の出力は、ＳＣデータ信号線５を介し、ＳＣクロック信号に同期して送信デジタルＳＴＬ装置１に出力される。
【００２１】
図１の説明に戻ると、送信デジタルＳＴＬ装置１は、入力したＳＣデータ信号をデジタル放送信号に多重すると共に、多重信号にデジタル変調、アップコンバートなどの処理を施した後、無線回線を利用して受信デジタルＳＴＬ装置３に無線送信する。受信デジタルＳＴＬ装置３は、送信デジタルＳＴＬ装置１から送信された多重信号を無線受信し、当該多重信号をダウンコンバート、デジタル復調、エラー訂正した後、多重前の各信号に分離する、即ち、デジタル放送信号とＳＣデータ信号に分離する。
【００２２】
受信デジタルＳＴＬ装置３で多重信号から分離されたデジタル放送信号は、図示しないアンテナを介して各家庭に配信されるか、デジタルＴＴＬ（Transmitter to Transmitter Link）を介して他の送信所に伝送される。一方、多重信号から分離されたＳＣデータ信号は、ＳＣデータ信号線７を介して受信アダプタ４に入力される。また、受信デジタルＳＴＬ装置３は、その伝送速度に同期したＳＣクロック信号を受信アダプタ４にＳＣクロック信号線８を介して出力する。受信アダプタ４は、Ｄ／Ａ変換機能を備えており、ＳＣデータ信号をＤ／Ａ変換して元の補助データ信号を再生すると共に、ＳＣクロック信号に基づいてかかるＤ／Ａ変換の処理速度を制御（ＰＬＬ制御）する。
【００２３】
図３は、受信アダプタ４の構成を表すブロック図である。図３に示すように、受信アダプタ４は、ＰＬＬ制御部１４と、フレーム処理部１５と、コーデック（音声コーデック）部１６とを備える。
【００２４】
ＰＬＬ制御部１４には、ＳＣクロック信号線８を介してＳＣクロック信号が入力される。ＰＬＬ制御部１４は、ＳＣクロック信号から処理クロックを生成し、生成した処理クロックをコーデック部１６に出力する。
【００２５】
また、ＳＣクロック信号は、フレーム処理部１５にも入力される。受信アダプタ４に入力されたＳＣデータ信号は、フレーム処理部１５でＳＣクロック信号に同期して取り込まれ、フレームヘッダ検出などの処理が施された後、コーデック部１６に出力される。
【００２６】
コーデック部１６は、フレーム処理部１５から出力された信号に対し、処理クロックと同期して伸張処理とＤ／Ａ変換を行い、元のアナログの補助データ信号を再生して出力する。再生された補助データ信号は、送信所のリモートコントロールや通話に使用される。尚、送信デジタルＳＴＬ装置１と受信デジタルＳＴＬ装置３の伝送速度は当然ながら一致しており、それに同期させたクロック信号も送信アダプタ２と受信アダプタ４とで一致する。従って、そのクロック信号を用いて処理速度をＰＬＬ制御することにより、送信側と受信側の処理速度を一致させることができる。そのため、従来のように、デジタル化された補助データ信号（ＳＣデータ信号）を受信側のバッファメモリに一旦蓄積する必要がなく、よってアナログの補助データ信号を低遅延で再生可能なデジタル無線伝送システムを構築することが可能となる。
【００２７】
このように、本発明の一実施例に係るデジタル無線伝送システムにあっては、アナログの補助データ信号をＡ／Ｄ変換してデジタル化する送信アダプタ２と、デジタル化された補助データ信号（ＳＣデータ信号）を他のデジタル信号（デジタル放送信号）に多重して無線送信する送信デジタルＳＴＬ装置１と、無線送信された多重信号を受信して当該多重信号を多重前の各信号に分離する受信デジタルＳＴＬ装置３と、分離した各信号のうち、ＳＣデータ信号をＤ／Ａ変換してアナログの補助データ信号を再生する受信アダプタ４とを備えると共に、送信アダプタ１と受信アダプタ４は、それぞれ送信デジタルＳＴＬ装置１と受信デジタルＳＴＬ装置３から伝送速度に同期したクロック信号の供給を受け、当該クロック信号に基づいてＡ／Ｄ変換とＤ／Ａ変換の処理速度を決定する（具体的にはＰＬＬ制御する）ように構成したので、送信側と受信側で処理速度を一致させることができる。そのため、多くの情報量の補助データ信号（アナログ信号）を、低遅延で再生することができる。
【００２８】
尚、上記において、送信デジタルＳＴＬ装置と受信デジタルＳＴＬ装置を例に挙げて説明したが、他のデジタル無線伝送システム、例えばデジタルＴＴＬ装置にも本発明は適用することができる。
【００２９】
また、アナログ信号をモデム音やアナログ音声といったテレビ放送で使用される補助データ信号としたが、それに限定されるものではない。同様に、デジタル化されたアナログ信号が多重される他のデジタル信号も、デジタル放送信号に限定されるものではない。
【００３０】
さらに、送信アダプタや受信アダプタの構成は例示に過ぎず、使用目的や仕様に応じて適宜変更してもよい。
【図面の簡単な説明】
【００３１】
【図１】本発明の一実施例に係るデジタル無線伝送システムを表すブロック図である。
【図２】図１に示す送信アダプタの構成を表すブロック図である。
【図３】図１に示す受信アダプタの構成を表すブロック図である。
【符号の説明】
【００３２】
１：送信デジタルＳＴＬ装置（送信部）、  ２：送信アダプタ（Ａ／Ｄ変換部）、  ３：受信デジタルＳＴＬ装置（受信部）、  ４：受信アダプタ（Ｄ／Ａ変換部）、  ６：ＳＣクロック信号線、  ８：ＳＣクロック信号線、
【図１】
2007189584.tif 000003
【図２】
2007189584.tif 000004
【図３】
2007189584.tif 000005